(57)【要約】【課題】語源の共通する同語源単語を効率良く学習することを可能とする。【解決手段】電子辞書１は表示部４０と、単語と当該単語の語源とを対応付けて複数記憶する語源付き辞書データベース８２１と、単語と当該単語の説明情報とを対応付けて複数記憶する学習単語集データベース８２２と、学習単語集データベース８２２により記憶された単語のいずれかをユーザ操作に基づいて指定単語として指定する入力部３０と、学習単語集データベース８２２により記憶された単語のうち、語源付き辞書データベース８２１により指定単語と同じ語源に対応付けられた単語を同語源単語として抽出するとともに、指定単語及び同語源単語を表示部４０に一覧表示させ、いずれかの同語源単語の説明情報をユーザ操作に応じて表示させるＣＰＵ２０とを備える。【選択図】図６
2013196230.tif 000002
【特許請求の範囲】
【請求項１】
表示手段と、
単語と、当該単語の語源とを対応付けて複数記憶する単語語源記憶手段と、
単語と、当該単語の説明情報とを対応付けて複数記憶する辞書記憶手段と、
前記辞書記憶手段により記憶された単語のいずれかをユーザ操作に基づいて指定単語として指定する単語指定手段と、
前記辞書記憶手段により記憶された単語のうち、前記単語語源記憶手段により前記指定単語と同じ語源に対応付けられた単語を同語源単語として抽出する同語源単語抽出手段と、
前記指定単語及び前記同語源単語を前記表示手段に一覧表示させる同語源単語表示制御手段と、
当該一覧表示された同語源単語のいずれかの説明情報をユーザ操作に応じて表示させる説明情報表示制御手段と、
を備えることを特徴とする情報表示装置。
【請求項２】
請求項１記載の情報表示装置において、
前記単語語源記憶手段は、
単語と、当該単語を接辞及び語幹に分解して得られる複数の単語構成部分と、これら複数の単語構成部分それぞれの語源とを対応付けて複数記憶し、
前記同語源単語表示制御手段は、
前記指定単語及び前記同語源単語が前記表示手段に一覧表示されるときに、当該指定単語と当該同語源単語の双方に共通して含まれる単語構成部分を識別表示させる同語源単語識別表示制御手段を有することを特徴とする情報表示装置。
【請求項３】
請求項１または２記載の情報表示装置において、
ユーザ操作に基づいて、前記辞書記憶手段により説明情報に対応付けられた単語に対してチェックを付けるチェック手段を備え、
前記辞書記憶手段は、
説明情報に対応付けられた各単語に対し、前記チェック手段によりチェックを付けられ
ているか否かを対応付けて記憶するチェック有無記憶手段を有し、
前記同語源単語表示制御手段は、
前記同語源単語として、チェックを付けられている単語を優先的に表示させることを特徴とする情報表示装置。
【請求項４】
請求項１または２記載の情報表示装置において、
ユーザ操作に基づいて、前記辞書記憶手段により説明情報に対応付けられた単語に対してチェックを付けるチェック手段を備え、
前記辞書記憶手段は、
説明情報に対応付けられた各単語に対し、前記チェック手段によりチェックを付けられ
ているか否かを対応付けて記憶するチェック有無記憶手段を有し、
前記同語源単語表示制御手段は、
前記同語源単語として、チェックを付けられていない単語を優先的に表示させることを特徴とする情報表示装置。
【請求項５】
請求項１〜４の何れか一項に記載の情報表示装置において、
前記単語語源記憶手段は、
単語と、当該単語を接辞及び語幹に分解して得られる複数の単語構成部分と、これら複数の単語構成部分それぞれの語源とを対応付けて複数記憶し、
当該情報表示装置は、
前記単語指定手段により前記指定単語が指定された場合に、前記単語語源記憶手段から前記指定単語の各単語構成部分の語源を読み出して、当該指定単語と当該語源とを対応付けて前記表示手段に表示させる指定単語表示制御手段と、
ユーザ操作に基づいて、前記指定単語表示制御手段により表示制御された語源のいずれかを選択する語源選択手段と、
を備え、
前記同語源単語抽出手段は、
前記語源選択手段により語源が選択された場合に、この選択された語源と同じ語源の単語構成部分を含む単語を前記同語源単語として抽出することを特徴とする情報表示装置。
【請求項６】
表示手段と、
単語と、当該単語の語源とを対応付けて複数記憶する単語語源記憶手段と、
単語と、当該単語の説明情報とを対応付けて複数記憶する辞書記憶手段と、
を有するコンピュータに、
前記辞書記憶手段により記憶された単語のいずれかをユーザ操作に基づいて指定単語として指定する単語指定機能と、
前記辞書記憶手段により記憶された単語のうち、前記単語語源記憶手段により前記指定単語と同じ語源に対応付けられた単語を同語源単語として抽出する同語源単語抽出機能と、
前記指定単語及び前記同語源単語を前記表示手段に一覧表示させる同語源単語表示制御機能と、
当該一覧表示された同語源単語のいずれかの説明情報をユーザ操作に応じて表示させる説明情報表示制御機能と、
を実現させることを特徴とするプログラム。
【発明の詳細な説明】
【技術分野】
【０００１】
本発明は、情報表示装置及びプログラムに関する。
【背景技術】
【０００２】
従来、単語を学習する方法として、単語を接辞及び語幹の各単語構成部分に分解し、各単語構成部分の語源に基づいて学習する方法がある。この方法により単語を学習する場合には、辞書に掲載された語源（単語の各単語構成部分の意味を示した語源）から効果的に単語を理解して学習することができる。また、近年の情報表示装置では、或る見出し語の説明情報を表示する場合に、当該見出し語と同じ語源の単語構成部分を含む単語（或る見出し語と語源の共通する単語）を、この見出し語に対応付けて表示するようになっている（例えば、特許文献１参照。）。
【０００３】
ところで、単語の学習方法としては、同意語、反意語、派生語などを纏めて学習する方法もある。同意語、反意語、派生語などを纏めて記載した単語帳が市販されており、この単語帳を当該方法による学習のツールとして用いることができる。
【先行技術文献】
【特許文献】
【０００４】
【特許文献１】特開１９９６−０４４２８１号公報
【発明の概要】
【発明が解決しようとする課題】
【０００５】
しかしながら、従来の情報表示装置では、同語源単語を複数纏めて表示することはできないため、語源の共通する同語源単語を効率良く学習することができない。
【０００６】
本発明の課題は、語源の共通する同語源単語を効率良く学習することができる情報表示装置及びプログラムを提供することである。
【課題を解決するための手段】
【０００７】
請求項１記載の発明は、情報表示装置において、
表示手段と、
単語と、当該単語の語源とを対応付けて複数記憶する単語語源記憶手段と、
単語と、当該単語の説明情報とを対応付けて複数記憶する辞書記憶手段と、
前記辞書記憶手段により記憶された単語のいずれかをユーザ操作に基づいて指定単語として指定する単語指定手段と、
前記辞書記憶手段により記憶された単語のうち、前記単語語源記憶手段により前記指定単語と同じ語源に対応付けられた単語を同語源単語として抽出する同語源単語抽出手段と、
前記指定単語及び前記同語源単語を前記表示手段に一覧表示させる同語源単語表示制御手段と、
当該一覧表示された同語源単語のいずれかの説明情報をユーザ操作に応じて表示させる説明情報表示制御手段と、
を備えることを特徴とする。
【発明の効果】
【０００８】
本発明によれば、語源の共通する同語源単語を効率良く学習することが可能となる。
【図面の簡単な説明】
【０００９】
【図１】電子辞書の概略構成を示す平面図である。
【図２】電子辞書の機能構成を示すブロック図である。
【図３】単語表示処理の流れを示すフローチャートである。
【図４】単語表示処理の流れを示すフローチャートである。
【図５】同語源単語抽出処理の流れを示すフローチャートである。
【図６】ディスプレイの表示内容を示す図である。
【図７】ディスプレイの表示内容を示す図である。
【図８】タブレットパソコンの概略構成を示す平面図である。
【発明を実施するための形態】
【００１０】
以下、添付図面を参照して、本発明に係る情報表示装置を電子辞書に適用した場合の実施形態の一例を詳細に説明する。ただし、発明の範囲は、図示例に限定されない。
【００１１】
［１．１  外観構成］
図１は、電子辞書１の平面図である。
この図に示すように、電子辞書１は、メインディスプレイ１０、サブディスプレイ１１、カードスロット１２、及びキー群２を備えている。
【００１２】
メインディスプレイ１０及びサブディスプレイ１１は、ユーザによるキー群２の操作に応じた文字や符号等、各種データを表示する部分であり、ＬＣＤ（Liquid Crystal Display）やＥＬＤ（Electronic Luminescence Display）等によって構成されている。なお、本実施の形態におけるメインディスプレイ１０及びサブディスプレイ１１は、いわゆるタッチパネル１１０（図２参照）と一体的に形成されており、手書き入力等の操作を受け付け可能となっている。
【００１３】
カードスロット１２は、種々の情報を記憶した外部情報記憶媒体１２ａ（図２参照）を自身の内側に着脱可能に設けられるようになっている。
【００１４】
キー群２は、ユーザから電子辞書１を操作するための操作を受ける各種キーを有している。具体的には、キー群２は、訳／決定キー２ｂと、文字キー２ｃと、辞書選択キー２ｄと、カーソルキー２ｅと、戻るキー２ｇ等とを有している。
【００１５】
訳／決定キー２ｂは、各種処理の実行、見出し語の決定等に使用されるキーである。文字キー２ｃは、ユーザによる文字の入力等に使用されるキーであり、本実施の形態においては、“Ａ”〜“Ｚ”キーを備えている。辞書選択キー２ｄは、後述の辞書データベース８２０，…（図２参照）の選択に使用されるキーである。
【００１６】
カーソルキー２ｅは、画面内の反転表示位置、つまりカーソル位置の移動等に使用されるキーであり、本実施の形態においては上下左右の方向を指定可能となっている。戻るキー２ｇは、前回表示した画面に戻るとき等に使用されるキーである。
【００１７】
［１．２  内部構成］
続いて、電子辞書１の内部構成について説明する。図２は、電子辞書１の内部構成を示すブロック図である。
【００１８】
この図に示すように、電子辞書１は、表示部４０、入力部３０、記録媒体読取部６０、ＣＰＵ（Central Processing Unit）２０、フラッシュＲＯＭ（Read Only Memory）８０、ＲＡＭ（Random Access Memory）９０を備え、各部はバスで相互にデータ通信可能に接続されて構成されている。
【００１９】
表示部４０は、上述のメインディスプレイ１０及びサブディスプレイ１１を備えており、ＣＰＵ２０から入力される表示信号に基づいて各種情報をメインディスプレイ１０やサブディスプレイ１１に表示するようになっている。
【００２０】
入力部３０は、上述のキー群２やタッチパネル１１０を備えており、押下されたキーやタッチパネル１１０の位置に対応する信号をＣＰＵ２０に出力するようになっている。
【００２１】
記録媒体読取部６０は、上述のカードスロット１２を備えており、当該カードスロット１２に装着された外部情報記憶媒体１２ａから情報を読み出したり、当該外部情報記憶媒体１２ａに情報を記録したりするようになっている。
【００２２】
ここで、外部情報記憶媒体１２ａには、辞書データベース８２０等が格納されるようになっている。なお、この辞書データベース８２０は後述のフラッシュＲＯＭ８０における辞書データベース８２０と同様のデータ構造を有しているため、ここでは説明を省略する。
【００２３】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じてフラッシュＲＯＭ８０に格納された各種プログラムを読み出し、当該プログラムに従って処理を実行する。そして、ＣＰＵ２０は、処理結果をＲＡＭ９０に保存するとともに、当該処理結果を表示部４０に適宜出力させる。
【００２４】
フラッシュＲＯＭ８０は、電子辞書１の各種機能を実現するためのプログラムやデータを記憶するメモリである。本実施の形態においては、フラッシュＲＯＭ８０は、本発明に係る単語表示処理プログラム８１と、辞書データベース群８２と、単語帳テーブル８３等とを記憶している。
【００２５】
単語表示処理プログラム８１は、後述の単語表示処理（図３，図４参照）をＣＰＵ２０に実行させるためのプログラムである。
【００２６】
辞書データベース群８２は、複数の辞書データベース８２０を有している。これら複数の辞書データベース８２０，…は、見出し語と、この見出し語の説明情報とを対応付けて複数記憶している。なお、本実施の形態においては、このような辞書データベース８２０として、語源付き辞書データベース８２１や学習単語集データベース８２２、英和辞書データベース８２３などが辞書データベース群８２に含まれている。
【００２７】
このうち、特に語源付き辞書データベース８２１は、見出し語としての単語と、当該単語の説明情報としての訳と、当該単語の重要度と、当該単語を接辞及び語幹に分解して得られる複数の単語構成部分と、これら複数の単語構成部分それぞれの意味や由来を示した語源、或いは単語自体の意味や由来を示した語源とを対応付けて複数記憶している。
【００２８】
また、学習単語集データベース８２２は、所定の試験のために学習すべき複数の単語と、当該単語の説明情報と、当該単語の重要度と、ユーザから当該単語に対するチェックの有無の情報とを対応付けて複数記憶している。なお、このような学習単語集データベース８２２としては、例えば所定の大学の入学試験のための単語集や、所定の英語検定試験のための単語集などのデータベースを用いることができる。
【００２９】
単語帳テーブル８３は、ユーザにより指定される単語などを蓄積記憶するものであり、本実施の形態においては、学習単語集データベース８２２の収録単語のうち、ユーザによりチェックされる単語を蓄積記憶するようになっている。
【００３０】
ＲＡＭ９０は、ＣＰＵ２０が実行する各種プログラムや、これらプログラムの実行に係るデータ等を一時的に保持するメモリ領域を備えている。本実施の形態においては、同語源単語記憶テーブル９０１等を有している。
【００３１】
同語源単語記憶テーブル９０１には、後述の同語源単語抽出処理（図５参照）において抽出される単語が記憶されるようになっており、より具体的には、所定の単語と同じ語源の単語（以下、同語源単語とする）が記憶されるようになっている。なお、本実施の形態において、同語源単語とは、或る単語の単語構成部分と同じ語源の単語構成部分を含む単語であっても良いし、或る単語それ自体と同じ語源の単語であっても良い。
【００３２】
［１．３  動作］
続いて、電子辞書１の動作について、図面を参照しつつ説明する。
【００３３】
図３，図４は、ＣＰＵ２０が単語表示処理プログラム８１を読み出して実行する単語表示処理の流れを示すフローチャートである。
【００３４】
図３に示すように、単語表示処理においてまずＣＰＵ２０は、ユーザ操作により学習単語集データベース８２２が使用対象として選択されるか否かを判定し（ステップＳ１）、選択されないと判定した場合（ステップＳ１；Ｎｏ）には他の処理へ移行する。
【００３５】
また、ステップＳ１において学習単語集データベース８２２が使用対象として選択されたと判定した場合（ステップＳ１；Ｙｅｓ）には、ＣＰＵ２０は、学習単語集データベース８２２において使用可能な学習機能の一覧をメインディスプレイ１０に表示させる（ステップＳ２）。なお、本実施の形態では、学習単語集データベース８２２において使用可能な学習機能として、「語源から単語を探す」機能が少なくとも用いられている。
【００３６】
次に、ＣＰＵ２０は、「語源から単語を探す」機能が選択されるか否かを判定し（ステップＳ３）、選択されないと判定した場合（ステップＳ３；Ｎｏ）には他の処理へ移行する。
【００３７】
また、ステップＳ３において「語源から単語を探す」機能が選択されたと判定した場合（ステップＳ３；Ｙｅｓ）には、ＣＰＵ２０は、当該機能を用いて最後に表示されていた単語を指定単語として指定し、当該指定単語の説明情報を学習単語集データベース８２２から読み出してメインディスプレイ１０に表示させる（ステップＳ４）。また、このときＣＰＵ２０は、メインディスプレイ１０の端部にチェックボックスＢ（図６（ｂ）参照）を表示させるとともに、指定単語に対してチェックが付けられているか否かを学習単語集データベース８２２から読み出し、チェックボックスＢに反映させる。
【００３８】
次に、ＣＰＵ２０は、メインディスプレイ１０の端部にチェックアイコンＩｃ及びマンダラアイコンＩｍを表示させ、チェックアイコンＩｃに対してタッチ操作が行われるか否かを判定し（ステップＳ５）、行われないと判定した場合（ステップＳ５；Ｎｏ）には後述のステップＳ７に移行する。ここで、チェックアイコンＩｃとは、チェックボックスＢにおけるチェックの有無を切り替えるために操作されるアイコンである。また、マンダラアイコンＩｍとは、指定単語と語源の共通する単語をマンダラ状（マトリックス状）に配置するために操作されるアイコンである。
【００３９】
ステップＳ５においてチェックアイコンＩｃに対してタッチ操作が行われたと判定した場合（ステップＳ５；Ｙｅｓ）には、ＣＰＵ２０は、指定単語についてのチェックの有無（ＯＮ／ＯＦＦ）を切り替え、チェックボックスＢに反映させる（ステップＳ６）。また、このときＣＰＵ２０は、切り替え後のチェックの有無を指定単語に対応付けて学習単語集データベース８２２に記憶させる。更に、このときＣＰＵ２０は、チェックの付けられた単語を単語帳テーブル８３に蓄積記憶させる。
【００４０】
次に、ＣＰＵ２０は、マンダラアイコンＩｍに対してタッチ操作が行われるか否かを判定し（ステップＳ７）、行われないと判定した場合（ステップＳ７；Ｎｏ）には、他の操作が行われるか否かを判定する（ステップＳ８）。
【００４１】
このステップＳ８において他の操作が行われたと判定した場合（ステップＳ８；Ｙｅｓ）には、ＣＰＵ２０は、当該操作に応じた処理（例えば音声出力処理や表示内容のスクロール処理など）に移行する一方、他の操作が行われないと判定した場合（ステップＳ８；Ｎｏ）には上述のステップＳ５に移行する。
【００４２】
また、ステップＳ７においてマンダラアイコンＩｍに対してタッチ操作が行われたと判定した場合（ステップＳ７；Ｙｅｓ）には、ＣＰＵ２０は、学習単語集データベース８２２内で指定単語における各単語構成部分の語源を検索し、単語構成部分の語源が存在するか否かを判定する（ステップＳ９）。
【００４３】
このステップＳ９において単語構成部分の語源が存在すると判定した場合（ステップＳ９；Ｙｅｓ）には、ＣＰＵ２０は、メインディスプレイ１０の表示領域を縦横に格子状に分割することにより合計９個の分割表示領域Ａを形成し（図６（ｃ）参照）、これらの分割表示領域Ａのうちメインディスプレイ１０の中央に表示された中央分割表示領域Ａ１に、指定単語と、指定単語の訳と、指定単語の単語構成部分と、これら複数の単語構成部分それぞれの語源とを一覧表示させる（ステップＳ１０）。
【００４４】
次に、ＣＰＵ２０は、中央分割表示領域Ａ１に一覧表示された語源のうち、ユーザ操作により選択された何れか一つの語源、つまり何れかの単語構成部分の語源を選択語源として選択した後（ステップＳ１１）、図４に示すように、後述のステップＳ２１に移行する。また、このステップＳ１１においてＣＰＵ２０は、中央分割表示領域Ａ１における指定単語のうち、選択語源に対応する単語構成部分を、所定の色（本実施の形態では赤色）で識別表示させる。
【００４５】
また、図３に示すように、上述のステップＳ９において単語構成部分の語源が存在しないと判定した場合（ステップＳ９；Ｎｏ）には、ＣＰＵ２０は、指定単語自体の語源を選択語源として選択する（ステップＳ１２）。また、このステップＳ１２においてＣＰＵ２０は、メインディスプレイ１０の表示領域を縦横に格子状に分割することにより合計９個の分割表示領域Ａを形成し、中央分割表示領域Ａ１に指定単語と、指定単語の訳と、指定単語の語源とを一覧表示させて、中央分割表示領域Ａ１における指定単語の全体を所定の色（本実施の形態では赤色）で識別表示させる。なお、指定単語が英単語の場合には、指定単語自体の語源として、ラテン語やギリシャ語の語源が挙げられる。
【００４６】
次に、図４に示すように、ＣＰＵ２０は、同語源単語抽出処理を行う（ステップＳ２１）。
【００４７】
具体的には、図５に示すように、この同語源単語抽出処理において、まずＣＰＵ２０は、学習単語集データベース８２２に記憶された単語（以下、学習単語とする）のうち、先頭の位置に記憶された学習単語を抽出候補の単語（以下、抽出候補単語とする）として設定する（ステップＴ１）。
【００４８】
次に、ＣＰＵ２０は、抽出候補単語を語源付き辞書データベース８２１内で検索する（ステップＴ２）。
【００４９】
次に、ＣＰＵ２０は、語源付き辞書データベース８２１内で抽出候補単語に対応付けられた語源に基づいて、この抽出候補単語が選択語源と同じ語源を有する同語源単語であるか否かを判定し（ステップＴ３）、同語源単語でないと判定した場合（ステップＴ３；Ｎｏ）には、後述のステップＴ５に移行する。なお、このステップＴ３においてＣＰＵ２０は、選択語源が単語構成部分の語源である場合には、抽出候補単語が選択語源と同じ語源の単語構成部分を含む同語源単語であるか否かを判定する。
【００５０】
また、ステップＴ３において抽出候補単語が選択語源と同じ語源を有する同語源単語であると判定した場合（ステップＴ３；Ｙｅｓ）には、ＣＰＵ２０は、同語源単語記憶テーブル９０１に当該抽出候補単語を同語源単語として記憶させる（ステップＴ４）。
【００５１】
次に、ＣＰＵ２０は、学習単語集データベース８２２において抽出候補単語よりも後方に他の学習単語が記憶されているか否か、つまり全ての学習単語を抽出候補単語として設定したか否かを判定する（ステップＴ５）。
【００５２】
このステップＴ５において学習単語集データベース８２２に他の学習単語が記憶されていると判定した場合（ステップＴ５；Ｙｅｓ）には、ＣＰＵ２０は、学習単語集データベース８２２において現時点での抽出候補単語の次の位置に記憶されている学習単語を新たな抽出候補単語として設定し（ステップＴ６）、上述のステップＴ２に移行する。以降、ステップＴ２〜Ｔ６の処理を繰り返すことにより、学習単語集データベース８２２に記憶された単語のうち、語源付き辞書データベース８２１によって指定単語と同じ語源に対応付けられた単語が同語源単語として抽出され、同語源単語記憶テーブル９０１に記憶されることとなる。
【００５３】
そして、ステップＴ５において学習単語集データベース８２２において抽出候補単語よりも後方に他の学習単語が記憶されていない場合と判定した場合（ステップＴ５；Ｎｏ）には、ＣＰＵ２０は、同語源単語記憶テーブル９０１内の同語源単語を、学習単語集データベース８２２での重要度順に並べ替え（ステップＴ７）、同語源単語抽出処理を終了する。
【００５４】
以上の同語源単語抽出処理が終了したら、次にＣＰＵ２０は、図４に示すように、チェック絞込みモードの設定が「ＯＦＦ」になっているか否かを判定する（ステップＳ２２）。ここで、チェック絞込みモードとは、チェック「有り」の単語、またはチェック「無し」の単語を優先的に表示させるモードである。そして、チェック絞込みモードが「ＯＦＦ」であるとは、チェックの有無に関わらず単語が表示されることを意味する。
【００５５】
このステップＳ２２においてチェック絞込みモードの設定が「ＯＦＦ」になっていると判定した場合（ステップＳ２２；Ｙｅｓ）には、ＣＰＵ２０は、同語源単語記憶テーブル９０１に記憶された同語源単語を、メインディスプレイ１０に形成された９つの分割表示領域Ａのうち中央分割表示領域Ａ１とは異なる８つの周辺分割表示領域Ａ２に一つずつ表示させて一覧表示させた後（ステップＳ２８）、後述のステップＳ３１に移行する。また、このステップＳ２８においてＣＰＵ２０は、各周辺分割表示領域Ａ２内の同語源単語についての訳と、当該同語源単語における各単語構成部分の語源とを語源付き辞書データベース８２１から読み出して、該当の周辺分割表示領域Ａ２内に表示させる。更に、このステップＳ２８においてＣＰＵ２０は、周辺分割表示領域Ａ２における同語源単語の各単語構成部分のうち、選択語源に対応する単語構成部分を所定の色（本実施の形態では赤色）で識別表示させる。
【００５６】
また、ステップＳ２２においてチェック絞込みモードの設定が「ＯＦＦ」になっていない、つまり「ＯＮ」になっていると判定した場合（ステップＳ２２；Ｎｏ）には、ＣＰＵ２０は、同語源単語記憶テーブル９０１内の各同語源単語に対してチェックが付けられているか否かを学習単語集データベース８２２から読み出し、同語源単語記憶テーブル９０１内の同語源単語を、チェック「有り」の単語と、チェック「無し」の単語とに分け、それぞれ学習単語集データベース８２２での重要度順に並べる（ステップＳ２３）。
【００５７】
次に、ＣＰＵ２０は、チェック絞込みモードの設定が「チェック無し単語優先」になっているか否かを判定し（ステップＳ２４）、「チェック無し単語優先」になっていると判定した場合（ステップＳ２４；Ｙｅｓ）には、チェック無しの同語源単語が優先して表示されるよう、同語源単語記憶テーブル９０１に記憶された同語源単語を、メインディスプレイ１０における８つの周辺分割表示領域Ａ２に一つずつ表示させて一覧表示させた後（ステップＳ２５）、後述のステップＳ３１に移行する。
【００５８】
一方、ステップＳ２４においてチェック絞込みモードの設定が「チェック無し単語優先」になっていない、つまり「チェック有り単語優先」になっていると判定した場合（ステップＳ２４；Ｎｏ）には、ＣＰＵ２０は、チェック有りの同語源単語が優先して表示されるよう、同語源単語記憶テーブル９０１に記憶された同語源単語を、メインディスプレイ１０における８つの周辺分割表示領域Ａ２に一つずつ表示させて一覧表示させる（ステップＳ２６）。
【００５９】
なお、これらのステップＳ２５，Ｓ２６においてＣＰＵ２０は、各周辺分割表示領域Ａ２内の同語源単語についての訳と、当該同語源単語における各単語構成部分の語源とを語源付き辞書データベース８２１から読み出して、該当の周辺分割表示領域Ａ２内に表示させる。更に、ステップＳ２５，Ｓ２６においてＣＰＵ２０は、周辺分割表示領域Ａ２における同語源単語の各単語構成部分のうち、選択語源に対応する単語構成部分を所定の色（本実施の形態では赤色）で識別表示させる。そして、これらステップＳ２５，２６と、上述のステップＳ１１とにより、指定単語と同語源単語の双方に共通して含まれる単語構成部分が識別表示されることとなる。
【００６０】
次に、ＣＰＵ２０は、各分割表示領域Ａにおける選択語源を所定の色（本実施の形態では赤色）で識別表示させる（ステップＳ３１）。また、このときＣＰＵ２０は、説明情報の表示を指示するための参照アイコンＩｓをメインディスプレイ１０の端部に表示させる。
【００６１】
次に、ＣＰＵ２０は、周辺分割表示領域Ａ２に表示されている何れかの同語源単語がユーザ操作により指定されるか否かを判定し（ステップＳ３２）、指定されたと判定した場合（ステップＳ３２；Ｙｅｓ）には、当該単語を指定単語として指定した後、図３に示すように、上述のステップＳ９に移行する。
【００６２】
また、図４に示すように、ステップＳ３２において何れの同語源単語もユーザ操作により指定されないと判定した場合（ステップＳ３２；Ｎｏ）には、ＣＰＵ２０は、ユーザ操作によりチェック絞込みモードの設定内容が変更されたか否かと、チェックアイコンＩｃに対してタッチ操作が行われたか否かとを判定する（ステップＳ３３）。ここで、このステップＳ３３においてチェック絞込みモードの設定内容が変更されるとは、チェック絞込みモードの設定内容が３種類の設定内容、即ち「ＯＦＦ」と、「ＯＮ」かつ「チェック無し単語優先」と、「ＯＮ」かつ「チェック有り単語優先」との間で変更されることを意味する。
【００６３】
このステップＳ３３においてチェック絞込みモードの設定内容が変更されたと判定した場合、及びチェック絞込みモードの設定内容が変更されてはいないものの、チェックアイコンＩｃに対してタッチ操作が行われたと判定した場合（ステップＳ３３；Ｙｅｓ）には、ＣＰＵ２０は、上述のステップＳ２２に移行する。なお、チェックアイコンＩｃに対してタッチ操作が行われたと判定した場合には、ＣＰＵ２０は、指定単語についてのチェックの有無（ＯＮ／ＯＦＦ）を切り替えてチェックボックスＢに反映させ、切り替え後のチェックの有無を指定単語に対応付けて学習単語集データベース８２２に記憶させるとともに、チェックの付けられた単語を単語帳テーブル８３に蓄積記憶させた後、ステップＳ２２に移行する。
【００６４】
また、ステップＳ３３においてチェック絞込みモードの設定内容が変更されないと判定した場合（ステップＳ３３；Ｎｏ）には、ＣＰＵ２０は、中央分割表示領域Ａ１に一覧表示された何れかの語源がユーザ操作により選択されるか否かを判定する（ステップＳ３４）。
【００６５】
そして、このステップＳ３４において何れかの語源が選択されたと判定した場合（ステップＳ３４；Ｙｅｓ）には、ＣＰＵ２０は、上述のステップＳ１１に移行する。一方、ステップＳ３４において何れの語源も選択されないと判定した場合（ステップＳ３４；Ｎｏ）には、ＣＰＵ２０は、ユーザ操作により参照アイコンＩｓがタッチされるか否かを判定する（ステップＳ３５）。そして、参照アイコンＩｓがタッチされたと判定した場合（ステップＳ３５；Ｙｅｓ）には、上述のステップＳ４に移行する。一方、ステップＳ３５において参照アイコンＩｓがタッチされなかったと判定した場合（ステップＳ３５；Ｎｏ）には、ＣＰＵ２０は、他の処理へ移行する。
【００６６】
［１．４  動作例］
続いて、図面を参照しつつ、上述した電子辞書１の動作を具体的に説明する。
【００６７】
まず、図６（ａ）に示すように、ユーザが「新ＴＯ△△△テストマスタリー２０００」の学習単語集データベース８２２を使用対象として選択すると（ステップＳ１；Ｙｅｓ）、学習単語集データベース８２２において使用可能な学習機能の一覧がメインディスプレイ１０に表示される（ステップＳ２）。
【００６８】
次に、ユーザが「語源から単語を探す」機能を選択すると（ステップＳ３；Ｙｅｓ）、図６（ｂ）に示すように、当該機能を用いて最後に表示されていた単語「indicate」が指定単語として指定され、当該指定単語の説明情報が学習単語集データベース８２２から読み出されてメインディスプレイ１０に表示される（ステップＳ４）。また、このときメインディスプレイ１０の端部にチェックボックスＢが表示されるとともに、指定単語「indicate」に対してチェックが付けられている旨の情報が学習単語集データベース８２２から読み出され、チェックボックスＢに反映される。
【００６９】
次に、メインディスプレイ１０の端部にチェックアイコンＩｃ及びマンダラアイコンＩｍが表示される。
次に、ユーザがマンダラアイコンＩｍに対してタッチ操作を行うと（ステップＳ７；Ｙｅｓ）、図６（ｃ）に示すように、学習単語集データベース８２２内で指定単語「indicate」における各単語構成部分「in」，「dic」，「ate」の語源が検索された後、単語構成部分「in」，「dic」，「ate」の語源が存在すると判定され（ステップＳ９；Ｙｅｓ）、メインディスプレイ１０に合計９個の分割表示領域Ａが形成され、中央分割表示領域Ａ１に、指定単語「indicate」と、指定単語の訳「〜を示す」と、指定単語の単語構成部分「in」，「dic」，「ate」と、これら複数の単語構成部分それぞれの語源「否定、中に、に対し」，「宣言する、示す」，「…にする」とが一覧表示される。（ステップＳ１０）。
【００７０】
次に、中央分割表示領域Ａ１に一覧表示された語源「否定、中に、に対し」，「宣言する、示す」，「…にする」から、ユーザが語源「否定、中に、に対し」を選択語源として選択すると（ステップＳ１１）、中央分割表示領域Ａ１における指定単語「indicate」のうち、選択語源「否定、中に、に対し」に対応する単語構成部分「in」が赤色で識別表示されるとともに、学習単語集データベース８２２に記憶された単語のうち、語源付き辞書データベース８２１によって指定単語「indicate」と同じ語源「否定、中に、に対し」に対応付けられた単語が同語源単語として抽出される（ステップＳ２１）。なお、本動作例では、赤色で表示された文字を太字で図示している。
【００７１】
次に、チェック絞込みモードの設定が「ＯＦＦ」になっていると判定された後（ステップＳ２２；Ｙｅｓ）、図６（ｄ）に示すように、メインディスプレイ１０に形成された８つの周辺分割表示領域Ａ２に同語源単語が一つずつ表示されて一覧表示される（ステップＳ２８）。また、このとき各周辺分割表示領域Ａ２内の同語源単語についての訳と、当該同語源単語における各単語構成部分の語源とが語源付き辞書データベース８２１から読み出されて、該当の周辺分割表示領域Ａ２内に表示される。更に、このとき周辺分割表示領域Ａ２における同語源単語の各単語構成部分のうち、選択語源「否定、中に、に対し」に対応する単語構成部分「in」が赤色で識別表示される。
【００７２】
次に、各分割表示領域Ａにおける選択語源「否定、中に、に対し」が赤色で識別表示される（ステップＳ３１）。また、このときメインディスプレイ１０の端部に参照アイコンＩｓが表示される。なお、この参照アイコンＩｓに対してユーザがタッチ操作を行うと（ステップＳ３５；Ｙｅｓ）、図６（ｂ）に示すように、指定単語の説明情報が改めて表示される。
【００７３】
次に、ユーザがチェックアイコンＩｃに対してタッチ操作を行うと（ステップＳ３３；Ｙｅｓ）、指定単語「indicate」についてのチェックが「無し」に切り替えられてチェックボックスＢに反映された後、図６（ｄ）と同様の内容が表示される。
【００７４】
次に、周辺分割表示領域Ａ２に表示されている同語源単語「income」に対してユーザがタッチ指定操作を行うと（ステップＳ３２；Ｙｅｓ）、当該単語「income」が指定単語として指定された後、図７（ａ）に示すように、学習単語集データベース８２２内で指定単語「income」における各単語構成部分「in」，「come」の語源が検索された後、単語構成部分「in」，「come」の語源が存在すると判定され（ステップＳ９；Ｙｅｓ）、中央分割表示領域Ａ１に、指定単語「income」と、指定単語の訳「収入、所得」と、指定単語の単語構成部分「in」，「come」と、これら複数の単語構成部分それぞれの語源「否定、中に、に対し」，「来る」とが一覧表示される。（ステップＳ１０）。
【００７５】
次に、中央分割表示領域Ａ１に一覧表示された語源「否定、中に、に対し」，「来る」から、ユーザが語源「否定、中に、に対し」を選択語源として選択すると（ステップＳ１１）、中央分割表示領域Ａ１における指定単語「income」のうち、選択語源「否定、中に、に対し」に対応する単語構成部分「in」が赤色で識別表示されるとともに、学習単語集データベース８２２に記憶された単語のうち、語源付き辞書データベース８２１によって指定単語「income」と同じ語源「否定、中に、に対し」に対応付けられた単語が同語源単語として抽出される（ステップＳ２１）。
【００７６】
次に、ユーザがチェック絞込みモードの設定内容を「ＯＮ」かつ「チェック無し単語優先」に変更すると（ステップＳ３３；Ｙｅｓ）、チェック絞込みモードの設定が「ＯＮ」になっていると判定され（ステップＳ２２；Ｎｏ）、同語源単語がチェック「有り」の単語と、チェック「無し」の単語とに分けられた後（ステップＳ２３）、チェック無しの同語源単語が優先して表示されるよう、同語源単語が周辺分割表示領域Ａ２に一つずつ表示される（ステップＳ２５）。また、このとき各周辺分割表示領域Ａ２内の同語源単語についての訳と、当該同語源単語における各単語構成部分の語源とが語源付き辞書データベース８２１から読み出されて、該当の周辺分割表示領域Ａ２内に表示される。更に、このとき周辺分割表示領域Ａ２における同語源単語の各単語構成部分のうち、選択語源「否定、中に、に対し」に対応する単語構成部分「in」が赤色で識別表示される。
【００７７】
また、同様にして、図６（ｄ）に示した状態から、周辺分割表示領域Ａ２に表示されている同語源単語「inspect」に対してユーザがタッチ指定操作を行うと（ステップＳ３２；Ｙｅｓ）、当該単語「inspect」が指定単語として指定された後、図７（ｂ）に示すように、学習単語集データベース８２２内で指定単語「inspect」における各単語構成部分「in」，「spect」の語源が検索された後、単語構成部分「in」，「spect」の語源が存在すると判定され（ステップＳ９；Ｙｅｓ）、中央分割表示領域Ａ１に、指定単語「inspect」と、指定単語の訳「〜を検査する」と、指定単語の単語構成部分「in」，「spect」と、これら複数の単語構成部分それぞれの語源「否定、中に、に対し」，「見る」とが一覧表示される。（ステップＳ１０）。
【００７８】
次に、中央分割表示領域Ａ１に一覧表示された語源「否定、中に、に対し」，「見る」から、ユーザが語源「見る」を選択語源として選択すると（ステップＳ１１）、中央分割表示領域Ａ１における指定単語「inspect」のうち、選択語源「見る」に対応する単語構成部分「spect」が赤色で識別表示されるとともに、学習単語集データベース８２２に記憶された単語のうち、語源付き辞書データベース８２１によって指定単語「inspect」と同じ語源「見る」に対応付けられた単語が同語源単語として抽出される（ステップＳ２１）。
【００７９】
次に、ユーザがチェック絞込みモードの設定内容を「ＯＮ」かつ「チェック有り単語優先」に変更すると（ステップＳ３３；Ｙｅｓ）、チェック絞込みモードの設定が「ＯＮ」になっていると判定され（ステップＳ２２；Ｎｏ）、同語源単語がチェック「有り」の単語と、チェック「無し」の単語とに分けられた後（ステップＳ２３）、チェック有りの同語源単語が優先して表示されるよう、同語源単語が周辺分割表示領域Ａ２に一つずつ表示される（ステップＳ２６）。また、このとき各周辺分割表示領域Ａ２内の同語源単語についての訳と、当該同語源単語における各単語構成部分の語源とが語源付き辞書データベース８２１から読み出されて、該当の周辺分割表示領域Ａ２内に表示される。更に、このとき周辺分割表示領域Ａ２における同語源単語の各単語構成部分のうち、選択語源「見る」に対応する単語構成部分「spect」が赤色で識別表示される。
【００８０】
次に、ユーザが参照アイコンＩｓに対してタッチ操作を行うと（ステップＳ３５；Ｙｅｓ）、図７（ｃ）に示すように、指定単語「inspect」の説明情報が表示される（ステップＳ４）。
【００８１】
また、図６（ａ）に示した状態から、ユーザが「新ＴＯ△△△テストマスタリー２０００」の学習単語集データベース８２２を使用対象として選択し（ステップＳ１；Ｙｅｓ）、「語源から単語を探す」機能を選択したときに（ステップＳ３；Ｙｅｓ）、当該機能を用いて最後に表示されていた単語が「animate」であった場合には、当該単語「animate」が指定単語として指定され、当該指定単語の説明情報が学習単語集データベース８２２から読み出されてメインディスプレイ１０に表示される（ステップＳ４）。
【００８２】
次に、ユーザがマンダラアイコンＩｍに対してタッチ操作を行うと（ステップＳ７；Ｙｅｓ）、指定単語「animate」の単語構成部分の語源が存在しないと判定され（ステップＳ９；Ｎｏ）、指定単語「animate」自体の語源「ラテン語animatus…」が選択語源として選択される（ステップＳ１２）。また、このとき、図７（ｄ）に示すように、メインディスプレイ１０に合計９個の分割表示領域Ａが形成され、中央分割表示領域Ａ１に指定単語「animate」と、指定単語の訳「元気づける」と、指定単語の語源「ラテン語animatus…」とが一覧表示され、中央分割表示領域Ａ１における指定単語「animate」の全体が赤色で識別表示される。
【００８３】
次に、学習単語集データベース８２２に記憶された単語のうち、語源付き辞書データベース８２１によって指定単語「animate」と同じ語源「ラテン語animatus…」に対応付けられた単語が同語源単語として抽出される（ステップＳ２１）
【００８４】
次に、チェック絞込みモードの設定が「ＯＦＦ」になっていると判定された後（ステップＳ２２；Ｙｅｓ）、メインディスプレイ１０に形成された８つの周辺分割表示領域Ａ２に同語源単語が一つずつ表示されて一覧表示される（ステップＳ２８）。また、このとき各周辺分割表示領域Ａ２内の同語源単語についての訳と、当該同語源単語における各単語構成部分の語源とが語源付き辞書データベース８２１から読み出されて、該当の周辺分割表示領域Ａ２内に表示される。更に、このとき周辺分割表示領域Ａ２における同語源単語の各単語構成部分のうち、選択語源「ラテン語animatus…」に対応する単語構成部分（ここでは各同語源単語）が赤色で識別表示される。そして、各分割表示領域Ａにおける選択語源「ラテン語animatus…」が赤色で識別表示される（ステップＳ３１）。
【００８５】
以上の電子辞書１によれば、図５のステップＴ１〜Ｔ４や、図６、図７等に示したように、学習単語集データベース８２２に記憶された単語のうち、語源付き辞書データベース８２１により指定単語と同じ語源に対応付けられた単語が同語源単語として抽出され、指定単語と同語源単語とが一覧表示されて、いずれかの同語源単語を参照するとその同語源単語の説明情報が表示されるので、指定単語と語源の共通する同語源単語を効率良く学習することができる。
【００８６】
また、図４のステップＳ２５、Ｓ２６や、図７（ｂ），（ｄ）等に示したように、指定単語及び同語源単語が一覧表示されるときに、当該指定単語と当該同語源単語の双方に共通して含まれる単語構成部分が識別表示されるので、指定単語に含まれる単語構成部分に対応付けて、当該単語構成部分と同じ語源の単語構成部分を含む同語源単語が表示される。従って、指定単語と語源の共通する同語源単語をいっそう効率良く学習することができる。
【００８７】
また、図４のステップＳ２５、Ｓ２６や、図７（ａ）、（ｂ）等に示したように、ユーザによりチェックを付けられている単語、或いはチェックをつけられていない単語が同語源単語として優先的に表示されるので、既学習の単語、或いは未学習の単語を効率的に学習することができる。
【００８８】
また、図３のステップＳ１１や、図６（ｃ）、（ｄ）等に示したように、指定単語に含まれる各単語構成部分についての語源のいずれかがユーザ操作に基づいて選択されると、選択された語源と同じ語源の単語構成部分を含む単語がメインディスプレイ１０に一覧表示されるので、指定単語と語源の共通する同語源単語のうち、所望の語源の単語構成部分を含む同語源単語を効率良く学習することができる。
【００８９】
なお、本発明を適用可能な実施形態は、上述した実施形態に限定されることなく、本発明の趣旨を逸脱しない範囲で適宜変更可能である。
【００９０】
例えば、本発明に係る情報表示装置を電子辞書１として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能であり、図８に示すようなタブレットパソコン１Ａに特に好適に適用される。また、本発明に係る単語表示処理プログラム８１は、電子辞書１に対して着脱可能な外部情報記憶媒体１２ａに記憶されることとしてもよい。
【００９１】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
表示手段と、
単語と、当該単語の語源とを対応付けて複数記憶する単語語源記憶手段と、
単語と、当該単語の説明情報とを対応付けて複数記憶する辞書記憶手段と、
前記辞書記憶手段により記憶された単語のいずれかをユーザ操作に基づいて指定単語として指定する単語指定手段と、
前記辞書記憶手段により記憶された単語のうち、前記単語語源記憶手段により前記指定単語と同じ語源に対応付けられた単語を同語源単語として抽出する同語源単語抽出手段と、
前記指定単語及び前記同語源単語を前記表示手段に一覧表示させる同語源単語表示制御手段と、
当該一覧表示された同語源単語のいずれかの説明情報をユーザ操作に応じて表示させる説明情報表示制御手段と、
を備えることを特徴とする情報表示装置。
＜請求項２＞
請求項１記載の情報表示装置において、
前記単語語源記憶手段は、
単語と、当該単語を接辞及び語幹に分解して得られる複数の単語構成部分と、これら複数の単語構成部分それぞれの語源とを対応付けて複数記憶し、
前記同語源単語表示制御手段は、
前記指定単語及び前記同語源単語が前記表示手段に一覧表示されるときに、当該指定単語と当該同語源単語の双方に共通して含まれる単語構成部分を識別表示させる同語源単語識別表示制御手段を有することを特徴とする情報表示装置。
＜請求項３＞
請求項１または２記載の情報表示装置において、
ユーザ操作に基づいて、前記辞書記憶手段により説明情報に対応付けられた単語に対してチェックを付けるチェック手段を備え、
前記辞書記憶手段は、
説明情報に対応付けられた各単語に対し、前記チェック手段によりチェックを付けられ
ているか否かを対応付けて記憶するチェック有無記憶手段を有し、
前記同語源単語表示制御手段は、
前記同語源単語として、チェックを付けられている単語を優先的に表示させることを特徴とする情報表示装置。
＜請求項４＞
請求項１または２記載の情報表示装置において、
ユーザ操作に基づいて、前記辞書記憶手段により説明情報に対応付けられた単語に対してチェックを付けるチェック手段を備え、
前記辞書記憶手段は、
説明情報に対応付けられた各単語に対し、前記チェック手段によりチェックを付けられ
ているか否かを対応付けて記憶するチェック有無記憶手段を有し、
前記同語源単語表示制御手段は、
前記同語源単語として、チェックを付けられていない単語を優先的に表示させることを特徴とする情報表示装置。
＜請求項５＞
請求項１〜４の何れか一項に記載の情報表示装置において、
前記単語語源記憶手段は、
単語と、当該単語を接辞及び語幹に分解して得られる複数の単語構成部分と、これら複数の単語構成部分それぞれの語源とを対応付けて複数記憶し、
当該情報表示装置は、
前記単語指定手段により前記指定単語が指定された場合に、前記単語語源記憶手段から前記指定単語の各単語構成部分の語源を読み出して、当該指定単語と当該語源とを対応付けて前記表示手段に表示させる指定単語表示制御手段と、
ユーザ操作に基づいて、前記指定単語表示制御手段により表示制御された語源のいずれかを選択する語源選択手段と、
を備え、
前記同語源単語抽出手段は、
前記語源選択手段により語源が選択された場合に、この選択された語源と同じ語源の単語構成部分を含む単語を前記同語源単語として抽出することを特徴とする情報表示装置。
＜請求項６＞
表示手段と、
単語と、当該単語の語源とを対応付けて複数記憶する単語語源記憶手段と、
単語と、当該単語の説明情報とを対応付けて複数記憶する辞書記憶手段と、
を有するコンピュータに、
前記辞書記憶手段により記憶された単語のいずれかをユーザ操作に基づいて指定単語として指定する単語指定機能と、
前記辞書記憶手段により記憶された単語のうち、前記単語語源記憶手段により前記指定単語と同じ語源に対応付けられた単語を同語源単語として抽出する同語源単語抽出機能と、
前記指定単語及び前記同語源単語を前記表示手段に一覧表示させる同語源単語表示制御機能と、
当該一覧表示された同語源単語のいずれかの説明情報をユーザ操作に応じて表示させる説明情報表示制御機能と、
を実現させることを特徴とするプログラム。
【符号の説明】
【００９２】
１          電子辞書
２０        ＣＰＵ
８１        単語表示処理プログラム
８２１      語源付き辞書データベース
【図１】
2013196230.tif 000003
【図２】
2013196230.tif 000004
【図３】
2013196230.tif 000005
【図４】
2013196230.tif 000006
【図５】
2013196230.tif 000007
【図６】
2013196230.tif 000008
【図７】
2013196230.tif 000009
【図８】
2013196230.tif 000010